(57)【要約】【課題】送受信処理において発生する遅延時間を測定する。【解決手段】  本発明に係る通信システムは、第１のノードと、第２のノードと、第３のノードとを含み、第１のノードが第３のノードで発生した処理遅延時間を測定する通信システムである。第１のノードは、所定のタイミングで同期情報を生成し、生成した同期情報を、第２のノードに送信する手段と、第３のノードを介して、第２のノードから測定用信号を受信する手段と、受信した測定用信号を用いて、第３のノードで発生した処理遅延時間を計算する手段とを有し、第２のノードは、同期情報が示すタイミングで測定用信号を生成する信号手段と、生成した測定用信号を、第３のノードに送信する手段とを有し、第３のノードは、第２のノードから受信した測定用信号を、第１のノードに送信する手段を有する。【選択図】図５
2008103997.tif 000002
【特許請求の範囲】
【請求項１】
第１のノードと、第２のノードと、第３のノードとを含み、前記第１のノードが前記第３のノードで発生した処理遅延時間を測定する通信システムであって、
前記第１のノードは、
その内部で起こる所定の変化が起こるタイミングで、同期情報を生成し、生成した前記同期情報を、前記第２のノードに対して送信する送信手段と、
前記第３のノードを介して、前記第２のノードから、処理遅延時間測定のための測定用信号を受信する受信手段と、
前記受信された測定用信号を用いて、前記第３のノードで発生した処理遅延時間を計算する計算手段と
を有し、
前記第２のノードは、
前記第１のノードから受信した前記同期情報を解釈し、前記同期情報が示すタイミングで、前記測定用信号を生成する信号生成手段と、
生成した前記測定用信号を、前記第３のノードに対して送信する送信手段と
を有し、
前記第３のノードは、
前記第２のノードから受信した前記測定用信号を、前記第１のノードに対して送信する送信手段
を有する
通信システム。
【発明の詳細な説明】
【技術分野】
【０００１】
本発明は、遅延時間を測定する通信システムに関する。
【背景技術】
【０００２】
移動体通信システムにおいては、移動体端末および基地局が、信号の送受信を行う。
このような送受信処理において発生する遅延時間が測定できるよう、改良されることが望ましい。
【発明の開示】
【発明が解決しようとする課題】
【０００３】
本発明は、上述した背景からなされたものであり、送受信処理において発生する遅延時間が測定できるように改良された通信システムを提供することを目的とする。
【課題を解決するための手段】
【０００４】
上記目的を達成するために、本発明にかかる通信システムは、第１のノードと、第２のノードと、第３のノードとを含み、前記第１のノードが前記第３のノードで発生した処理遅延時間を測定する通信システムであって、前記第１のノードは、その内部で起こる所定の変化が起こるタイミングで、同期情報を生成し、生成した前記同期情報を、前記第２のノードに対して送信する送信手段と、前記第３のノードを介して、前記第２のノードから、処理遅延時間測定のための測定用信号を受信する受信手段と、前記受信された測定用信号を用いて、前記第３のノードで発生した処理遅延時間を計算する計算手段とを有し、前記第２のノードは、前記第１のノードから受信した前記同期情報を解釈し、前記同期情報が示すタイミングで、前記測定用信号を生成する信号生成手段と、生成した前記測定用信号を、前記第３のノードに対して送信する送信手段とを有し、前記第３のノードは、前記第２のノードから受信した前記測定用信号を、前記第１のノードに対して送信する送信手段を有する。
【発明の効果】
【０００５】
本発明にかかる通信システムによれば、送受信処理において発生する遅延時間を測定することができる。
【発明を実施するための最良の形態】
【０００６】
[第１の実施形態]
以下、本発明の第１の実施形態を説明する。
図１は、本発明に係る第１の通信システム１を例示する図である。
【０００７】
図１に示すように、第１の通信システム１は、移動端末１００−１〜１００−ｎと、リモートヘッド１２−１〜１２−ｎ、基地局１４−１〜１４−ｎ、基地局制御装置（ＢＳＣ；Base Station Controller）１０２、マルチメディア信号処理装置（ＭＰＥ；Multimedia Processing Equipment）１０４、移動通信交換局（ＭＳＣ；Mobile Service Switching Center）１０６とが、有線回線および無線回線を介して接続されて構成される。
なお、リモートヘッド１２−１〜１２−ｎと基地局１４−１〜１４−ｎとは、シリアルケーブル（例えば、同軸ケーブル、光ファイバケーブルなど）で接続される。
【０００８】
さらに、ＭＰＥ１０４は、ＩＰ（Internet Protocol）コアネットワーク１０８に接続され、ＭＳＣ１０６は、ＰＳＴＮ（Public Switched Telephone Network）公衆網１１０に接続される。
第１の通信システム１においては、このような構成により、上記の各構成要素が信号の送受信を行う。
【０００９】
ただし、ｎは１以上の整数であって、ｎが常に同じ数を示すとは限らない。
また、以下の各図において、実質的に同じ構成部分には同じ符号が付され、本願発明の説明に関係のない部分は省略される。
以下、複数存在しうる移動端末１００−１〜１００−ｎなどのいずれかが、特定されずに示されるときには、単に移動端末１００などと略記されることがある。
【００１０】
[リモートヘッド１２]
以下、第１の通信システム１におけるリモートヘッド１２を説明する。
図２は、リモートヘッド１２のハードウエア構成を例示する図である。
図２に示すように、リモートヘッド１２は、アンテナ１２０、無線送受信部１２２、信号増幅部１２４、アナログ／デジタルおよびデジタル／アナログ（Ａ／Ｄ，Ｄ／Ａ）変換部１２６、有線送受信部１２８およびデジタルデータ処理部１３０から構成される。
リモートヘッド１２は、このような構成により、移動端末１００および基地局１４の間で送受信される信号を増幅する。
【００１１】
無線送受信部１２２は、アンテナ１２０を介して、移動端末１００との間で、無線信号の送受信を行う。
有線送受信部１２８は、基地局１４との間で、有線通信を行う。
【００１２】
信号増幅部１２４は、無線送受信部１２２から入力された無線信号を増幅し、Ａ／Ｄ，Ｄ／Ａ変換部１２６に対して出力する。
Ａ／Ｄ，Ｄ／Ａ変換部１２６は、信号増幅部１２４から入力された無線信号を復調して、デジタルデータ処理部１３０に対して、データとして出力する。
【００１３】
Ａ／Ｄ，Ｄ／Ａ変換部１２６は、有線送受信部１２８からデジタルデータ処理部１３０に入力されたデータを変調して、信号増幅部１２４に対して、信号として出力する。
信号増幅部１２４は、Ａ／Ｄ，Ｄ／Ａ変換部１２６から入力された信号を増幅し、無線送受信部１２２に対して出力する。
デジタルデータ処理部１３０は、例えば、ＣＰＵおよびメモリなどを含み、記憶媒体（図示せず）を介して供給されるプログラムを実行してもかまわない。
【００１４】
[基地局１４]
以下、第１の通信システム１（図１）における基地局１４を説明する。
図３は、基地局１４のハードウエア構成を例示する図である。
図３に示すように、基地局１４は、有線送受信部１４０および１４２、シンボル同期部１６、デジタルデータ処理部１３０から構成される。
基地局１４は、このような構成により、リモートヘッド１２およびＢＳＣ１０２に対して、信号を送受信する。
【００１５】
有線送受信部１４０および１４２は、リモートヘッド１２およびＢＳＣ１０２と有線通信を行う。
シンボル同期部１６は、有線送受信部１４０から入力されたデータにおいて、シンボル同期タイミングを検出する。
さらに、シンボル同期部１６は、検出したシンボル同期タイミングに基づいてシンボルデータを再生し、デジタルデータ処理部１３０に対して出力する（詳細は、図４を参照して後述する）。
【００１６】
[シンボル同期部１６]
以下、基地局１４におけるシンボル同期部１６を説明する。
図４は、シンボル同期部１６のハードウエア構成を例示する図である。
図４に示すように、シンボル同期部１６は、シリアル／パラレル（Ｓ／Ｐ）変換回路１６０、拡散符号生成部１６２、マッチドフィルタ１６４、プロファイル部１６６、パス検出部１６８およびシンボルデータ再生部１７０から構成される。
【００１７】
Ｓ／Ｐ変換回路１６０は、有線送受信部１４０から入力されたデータ（シリアルデータ）を所定のタイミングでＳ／Ｐ変換し、パラレルデータとして、マッチドフィルタ１６４に対して出力する。
【００１８】
マッチドフィルタ１６４は、拡散符号生成部１６２から入力された拡散符号と、Ｓ／Ｐ変換回路１６０から入力されたパラレルデータとを用いて複素拡散を行い、相関値のピークを検出する。
さらに、マッチドフィルタ１６４は、検出した相関ピークを、プロファイル部１６６に対して出力する。
プロファイル部１６６は、マッチドフィルタ１６４から入力された相関ピークの平均値を算出し、相関ピークを確定する。
さらに、プロファイル部１６６は、確定した相関ピークをパス検出部１６８に対して出力する。
【００１９】
パス検出部１６８は、プロファイル部１６６から入力された相関ピークを、大きい方から数えて任意の数だけ選出する。
さらに、パス検出部１６８は、選出した相関ピークを有するタイミングを同期タイミングとして検出し、シンボルデータ再生部１７０に対して出力する。
シンボルデータ再生部１７０は、パス検出部１６８で検出されたタイミングでシンボルデータを再生し、デジタルデータ処理部１３０に対して出力する。
【００２０】
以上述べたように、第１の通信システム１（図１）において、基地局１４は、アンテナ１２０、信号増幅部１２４およびＡ／ＤおよびＤ／Ａ変換部１２６を分離し、これらの分離された構成要素から成る装置（リモートヘッド１２）および基地局１４をシリアルケーブルで接続する。
このように、１台の基地局１４に対して複数のリモートヘッド１２が設置されるため、基地局１４の運用にかかる負担が軽減される。
【００２１】
通信システム1においては、アンテナ１２０等が基地局１４と同一架に設置される場合に比べて、基地局１４とリモートヘッド１２との距離が大きいため、処理遅延量の管理が重要である。
例えば、通信システム１において、基地局１４が移動端末１００に送信する際に発生する遅延は、送信機テスタ等を用いて測定される。
【００２２】
しかしながら、通信システム１において、基地局１４が移動端末１００から受信する際に、信号増幅部１２４（図２）で発生する遅延は測定されない。
したがって、通信システム１において、信号増幅部１２４で発生する遅延が測定されることが望ましい。
以下に説明する本発明の第２の実施形態は、このような要望に従って、本発明の第１の実施形態が改良されたものである。
【００２３】
[第２の実施形態]
以下、本発明の第２の実施形態を説明する。
図５は、本発明に係る第２の通信システム２を例示する図である。
【００２４】
図５に示すように、第２の通信システム２は、移動端末１００−１〜１００−ｎと、リモートヘッド１２−１〜１２−ｎ、パルスジェネレータ２０、基地局２２−１〜２２−ｎ、基地局制御装置（ＢＳＣ；Base Station Controller）１０２、マルチメディア信号処理装置（ＭＰＥ；Multimedia Processing Equipment）１０４、移動通信交換局（ＭＳＣ；Mobile Service Switching Center）１０６とが、有線回線および無線回線を介して接続されて構成される。
【００２５】
例えば、第２の通信システム２において、パルスジェネレータ２０は、基地局２２−１およびリモートヘッド１２−１と有線回線または無線回線を介して接続され、基地局２２−１は、リモートヘッド１２−１内の信号増幅部１２４（図２）において発生する遅延時間を測定する。
図５に示すように、第２の通信システム２は、第１の通信システム１において、パルスジェネレータ２０を付加し、基地局１４（図１および図２）を基地局２２に代替した構成を採る。
【００２６】
[パルスジェネレータ２０]
以下、第２の通信システム２におけるパルスジェネレータ２０を説明する。
図６は、パルスジェネレータ２０のハードウエア構成を例示する図である。
図６に示すように、パルスジェネレータ２０は、アンテナ１２０、有線受信部２００、同期情報検出部２０２、パルス生成部２０４および無線送信部２０６から構成される。
パルスジェネレータ２０は、このような構成により、基地局２２およびリモートヘッド１２に対し、信号を送受信する。
【００２７】
有線受信部２００は、基地局２２からデジタルデータを受信し、同期情報検出部２０２に対して出力する。
同期情報検出部２０２は、有線受信部２００から受信したデジタルデータから、同期情報を検出する。
同期情報検出部２０２は、同期情報を検出したときのみ、同期情報検出をパルス生成部２０４に対して通知する。
【００２８】
パルス生成部２０４は、検出された同期情報によるタイミングでパルスを生成し、生成したパルスを無線送信部２０６に対して出力する。
無線送信部２０６は、パルス生成部２０４から入力されたパルスを、アンテナ１２０を介して、リモートヘッド１２に対して送信する。
【００２９】
図７は、パルスジェネレータ２０が生成するパルスの波形を例示する図である。
パルスジェネレータ２０は、図７に示されるインパルス波形を生成する。
【００３０】
[基地局２２]
以下、第２の通信システム２（図５）における基地局２２を説明する。
図８は、基地局２２のハードウエア構成を例示する図である。
図８に示すように、基地局２２は、有線送受信部１４０および１４２、シンボル同期部１６、フォーマット変換部２２０、監視部２２２、複素拡散部２２４、同期情報生成部２２６、同期情報有線送信部２２８、本体２３０、記憶装置２３６および入出力装置２４０から構成される。
【００３１】
フォーマット変換部２２０は、有線送受信部１４０から入力されたデータを、処理データ（信号処理の対象となる信号）および制御データ（制御のために送受信される信号）に分ける。
さらに、フォーマット変換部２２０は、処理データをシンボル同期部１６に対して出力し、制御データを監視部２２２に対して出力する。
【００３２】
監視部２２２は、フォーマット変換部２２０から入力された制御データを用いて、基地局２２の監視を行う。
複素拡散部２２４は、符号化処理部２４４（図９を参照して後述）によって符号化された符号化データを拡散させ、処理データを生成する。
さらに、複素拡散部２２４は、生成した処理データを、有線送受信部１４０に対して出力する。
同期情報生成部２２６は、基地局２２内における所定のタイミングを記述した同期情報（例えば、ＢＦＮ（node-B frame number）が同じになるタイミングで同期をとる）を生成し、この同期情報を同期情報有線送信部２２８を介して、パルスジェネレータ２０に対して出力する。
【００３３】
本体２３０は、ＣＰＵ２３２およびメモリ２３４などを含む。
記憶装置２３６は、ＣＤ装置、ＦＤ装置およびＨＤＤ装置などであって、記憶媒体２３８に対して情報の書込みおよび読出しを行う。
【００３４】
メモリ２３４または記憶装置２３６は、基地局２２においてあらかじめ測定された、パルスジェネレータ２０がパルスの生成を開始した後、パルスを出力するまでの時間（以下、Ｔ１と記述）を記憶する。
なお、基地局２２以外の機器が、Ｔ１をあらかじめ測定し、有線通信処理部２６２（図９を参照して後述）を介して、基地局２２に対してＴ１を送信してもかまわない。
入出力装置２４０は、キーボードおよびディスプレイ（図示せず）などを含む。
【００３５】
[基地局プログラム２４]
以下、基地局２２上で実行される基地局プログラム２４を説明する。
図９は、基地局プログラム２４の構成を示す図である。
【００３６】
図９に示すように、基地局プログラム２４は、有線通信処理部２６２、有線送受信部２４２、符号化処理部２４４、同期情報有線送信部２４６、Ｔ３計算部２４８、Ｔ２計算部２５６、遅延時間計算部２５８およびＵＩ部２６０から構成される。
さらに、Ｔ３計算部２４８は、同期情報解釈部２５０、データ書込部２５２および計算部２５４から構成される。
【００３７】
有線通信処理部２６２は、有線送受信部１４０，１４２および同期情報有線送信部２２８を制御して、基地局２２が、リモートヘッド１２、ＢＳＣ１０２およびパルスジェネレータ２０と有線通信を行うために必要な処理を行う。
有線送受信部２４２は、有線通信処理部２６２を介し、リモートヘッド１２、ＢＳＣ１０２およびパルスジェネレータ２０とデータ送受信を行う。
符号化処理部２４４は、有線送受信部２４２が有線通信処理部２６２を解して送信しようとするデータを符号化し、有線送受信部２４２に対して出力する。
【００３８】
同期情報有線送信部２４６は、同期情報生成部２２６から入力された同期情報を、有線通信処理部２６２を介して、パルスジェネレータ２０に対して送信する。
Ｔ３計算部２４８において、同期情報解釈部２５０は、同期情報生成部２２６から入力された同期情報を解釈し、この同期情報をデータ書込部２５２に対して出力する。
【００３９】
データ書込部２５２は、同期情報解釈部２５０から入力された同期情報によるタイミングで、シンボル同期部１６から入力されたシンボルデータをメモリ２３２に書き込み始めるとともに、シンボル同期部１６からシンボルデータが入力される際の電力を測定して、メモリ２３２に書き込む。
さらに、データ書込部２５２は、測定された電力のピークを検出して、メモリ２３２への書込みを開始したアドレスから、電力ピークが検出されたアドレスまでにインクリメントされた回数を、計算部２５４に対して出力する。
【００４０】
図１０は、シンボルデータおよび電力が書き込まれた、本体２３０のメモリ２３２を例示する図である。
データ書込部２５２は、図１０に示されるように、あるアドレスにシンボルデータおよび電力を書き込んだ後、任意のサンプリング周波数に基づき、アドレスをインクリメントして、次のアドレスにシンボルデータおよび電力を書き込む。
例えば、データ書込部２５２は、図１０に示されるように、電力ピーク１０Ａを検出して、インクリメント回数７回というデータを計算部２５４に対して出力する。
【００４１】
以下、図９に戻り、計算部２５４を説明する。
計算部２５４は、データ書込部２５２から入力されたデータを用いて、以下の数１を用いてＴ３を計算し、Ｔ３を遅延時間計算部２５８に対して出力する（ただし、Ｉはインクリメント回数、Ｆは任意のサンプリング周波数を示す）。
【００４２】
【数１】
2008103997.tif 000003
【００４３】
Ｔ２計算部２５６は、フォーマット変換部２２０（図８）にデータが入力されてから、フォーマット変換部２２０がデータを処理し、出力するまでの時間（以下、Ｔ２と記述）を計算する。
さらに、Ｔ２計算部２５６は、Ｔ２を遅延時間計算部２５８に対して出力する。
【００４４】
遅延時間計算部２５８は、メモリ２３２などに記憶されたＴ１の値、Ｔ２計算部２５６から出力されたＴ２の値およびＴ３計算部２４８から出力されたＴ３の値を用いて、以下の数２によって、遅延時間Ｔ４を計算し、ＵＩ部２６０に対して出力する。
【００４５】
【数２】
2008103997.tif 000004
【００４６】
図１１は、上述したＴ１〜Ｔ４を示す図である。
図１１において、Ｔ１〜Ｔ４は、それぞれ、両矢印の幅によって示される。
【００４７】
Ｔ４は、パルスジェネレータ２０が出力するパルス波形と、基地局２２のフォーマット変換部２２０が出力するパルス波形とのズレとして示される。
つまり、Ｔ４は、パルス送受信中、リモートヘッド１２において発生する遅延時間を示す（ネットワークにおける伝送遅延は考慮しない）。
【００４８】
以下、図９に戻り、基地局プログラム２４の説明を行う。
ＵＩ部２６０は、入出力装置２４０における入出力を制御する。
ＵＩ部２６０は、データ書込部２５２によって測定された電力データをグラフ出力するとともに、遅延時間計算部２５８において計算された遅延時間Ｔ４を出力する。
【００４９】
図１２は、入出力装置２４０における表示例である。
ＵＩ部２６０は、図１２に示す形式で情報を提示する。
【００５０】
[第２の通信システム２の全体動作]
以下、第２の通信システム２の全体動作を説明する。
図１３は、図に示したパルスジェネレータ２０、リモートヘッド１２および基地局２２の全体的な動作を例示するシーケンス図である。
なお、図１３において、実線で示された矢印は有線回線によるデータ通信を意味し、破線で示された矢印は無線回線によるデータ通信を意味する。
【００５１】
ステップ１００において、基地局２２は、同期を取るタイミングを示す同期情報を生成し、パルスジェネレータ２０に対して送信する。
ステップ１０２において、パルスジェネレータ２２は、受信した同期情報に示されるタイミングでパルスを生成し、リモートヘッド１２に対して送信する。
ステップ１０４において、リモートヘッド１２は、受信したパルスを増幅させ、基地局２２に対して送信する。
【００５２】
基地局２２は、リモートヘッド１２からパルスを受信し、Ｔ２（図９および図１１）およびＴ３（図９および図１１）を計算する。
基地局２２は、Ｔ１〜Ｔ３の値から、リモートヘッド１２における遅延時間Ｔ４を計算する。
【００５３】
このように、第２の通信システム２において、基地局２２は、パルスジェネレータ２０からリモートヘッド１２を介して受信したパルスを用いて、リモートヘッド１２における遅延時間を計算することができる。
しかしながら、このように計算される遅延時間は、必ずしも通信システムの状態（例えば、シリアル伝送路における直流バランスが保持されているか否かなど）を反映しているとはいえない。
【００５４】
したがって、通信システムの状態を反映して、遅延時間が計算されることが望ましい。
以下に説明する本発明の第３の実施形態は、このような要望に従って、本発明の第２の実施形態が改良されたものである。
【００５５】
[第３の実施形態]
以下、本発明の第３の実施形態を説明する。
図１４は、本発明に係る第３の通信システム３を例示する図である。
【００５６】
図１４に示すように、第３の通信システム３は、移動端末１００−１〜１００−ｎと、リモートヘッド１２−１〜１２−ｎ、パルスジェネレータ２２、基地局３０−１〜３０−ｎ、ＢＳＣ１０２、ＭＰＥ１０４およびＭＳＣ１０６とが、有線回線および無線回線を介して接続されて構成される。
つまり、第３の通信システム３は、第２の通信システムにおける基地局２２を、基地局３０に代替して構成される。
【００５７】
[基地局３０]
以下、第３の通信システム３における基地局３０を説明する。
図１５は、基地局３０のハードウエア構成を例示する図である。
【００５８】
図１５に示すように、基地局３０は、有線送受信部１４０および１４２、フォーマット変換部２２０、シンボル同期部１６、監視部２２２、複素拡散部２２４、同期情報生成部３００、同期情報有線送信部２２８、本体２３０、記憶装置２３６および入出力装置２４０から構成される。
つまり、第３の通信システム３における基地局３０は、第２の通信システム２における基地局２２の同期情報生成部２２６（図８）を、同期情報生成部３００に代替して構成される。
【００５９】
同期情報生成部３００は、フォーマット変換部２２０から出力される制御データに基づき、同期情報を生成する。
例えば、同期情報生成部３００は、Ｋ２８．５文字などのコンマバイトを検出し、これをプリアンブル（送受信のタイミングを計るデータ）として、同期情報を生成することができる。
【００６０】
図１６は、基地局３０上で実行される基地局プログラム３２の構成を示す図である。
遅延時間計算部３２０は、メモリ２３２または記憶装置２３６に記憶されるＴ１の値と、Ｔ３計算部２８２から出力されたＴ３の値とを用いて、以下の数３によってＴ５を計算し、ＵＩ部２９６に対して出力する。
【００６１】
【数３】
2008103997.tif 000005
【００６２】
図１７は、Ｔ１，Ｔ３，Ｔ５を示す図である。
図１７において、Ｔ１，Ｔ３，Ｔ５は、それぞれ、両矢印の幅によって示される。
【００６３】
Ｔ５は、パルスジェネレータ２０が出力するパルス波形と、基地局３０のフォーマット変換部２２０が出力するパルス波形とのズレとして示される。
つまり、Ｔ５は、パルス送受信中、リモートヘッド１２において発生する遅延時間を示す（ネットワークにおける伝送遅延は考慮しない）。
【００６４】
このように、第３の通信システム３において、基地局３０は、パルスジェネレータ２０からリモートヘッド１２を介して受信したパルスを用いて、遅延時間を計算することができる。
パルスジェネレータ２０がパルスを生成するタイミングは、通信システム３を流れるデータ（制御データ）に基づき決定されるので、通信システム３の状態が反映された遅延時間Ｔ５を求めることができる。
【図面の簡単な説明】
【００６５】
【図１】本発明に係る第１の通信システムを例示する図である。
【図２】リモートヘッドのハードウエア構成を例示する図である。
【図３】基地局のハードウエア構成を例示する図である。
【図４】シンボル同期部のハードウエア構成を例示する図である。
【図５】本発明に係る第２の通信システムを例示する図である。
【図６】パルスジェネレータのハードウエア構成を例示する図である。
【図７】パルスジェネレータが生成するパルスの波形を示す図である。
【図８】基地局のハードウエア構成を例示する図である。
【図９】基地局プログラムの構成を示す図である。
【図１０】シンボルデータが書き込まれたメモリを例示する図である。
【図１１】Ｔ１〜Ｔ４を示す図である。
【図１２】入出力装置における表示例である。
【図１３】パルスジェネレータ、リモートヘッドおよび基地局の全体的な動作を例示するシーケンス図である。
【図１４】本発明に係る第３の通信システムを例示する図である。
【図１５】基地局のハードウエア構成を例示する図である。
【図１６】基地局プログラムの構成を示す図である。
【図１７】Ｔ１，Ｔ３，Ｔ５を示す図である。
【符号の説明】
【００６６】
通信システム・・・１
移動端末・・・１００
リモートヘッド・・・１２
アンテナ・・・１２０
無線送受信部・・・１２２
信号増幅部・・・１２４
Ａ／Ｄ，Ｄ／Ａ変換部・・・１２６
有線送受信部・・・１２８
デジタルデータ処理部・・・１３０
基地局・・・１４
有線送受信部・・・１４０
有線送受信部・・・１４２
シンボル同期部・・・１６
Ｓ／Ｐ変換回路・・・１６０
拡散符号生成部・・・１６２
マッチドフィルタ・・・１６４
プロファイル部・・・１６６
パス検出部・・・１６８
シンボルデータ再生部・・・１７０
基地局制御装置・・・１０２
マルチメディア信号処理装置・・・１０４
移動通信交換局・・・１０６
ＩＰコアネットワーク・・・１０８
ＰＳＴＮ公衆網・・・１１０
通信システム・・・２
パルスジェネレータ・・・２０
有線受信部・・・２００
同期情報検出部・・・２０２
パルス生成部・・・２０４
無線送信部・・・２０６
基地局・・・２２
フォーマット変換部・・・２２０
監視部・・・２２２
複素拡散部・・・２２４
同期情報生成部・・・２２６
同期情報有線送信部・・・２２８
本体・・・２３０
メモリ・・・２３２
ＣＰＵ・・・２３４
記憶装置・・・２３６
記憶媒体・・・２３８
入出力装置・・・２４０
基地局プログラム・・・２４
有線送受信部・・・２４２
符号化処理部・・・２４４
同期情報有線送信部・・・２４６
Ｔ３計算部・・・２４８
同期情報解釈部・・・２５０
データ書込部・・・２５２
計算部・・・２５４
Ｔ２計算部・・・２５６
遅延時間計算部・・・２５８
ＵＩ部・・・２６０
有線通信処理部・・・２６２
通信システム・・・３
基地局・・・３０
同期情報生成部・・・３００
基地局プログラム・・・３２
遅延時間計算部・・・３２０
【図１】
2008103997.tif 000006
【図２】
2008103997.tif 000007
【図３】
2008103997.tif 000008
【図４】
2008103997.tif 000009
【図５】
2008103997.tif 000010
【図６】
2008103997.tif 000011
【図７】
2008103997.tif 000012
【図８】
2008103997.tif 000013
【図９】
2008103997.tif 000014
【図１０】
2008103997.tif 000015
【図１１】
2008103997.tif 000016
【図１２】
2008103997.tif 000017
【図１３】
2008103997.tif 000018
【図１４】
2008103997.tif 000019
【図１５】
2008103997.tif 000020
【図１６】
2008103997.tif 000021
【図１７】
2008103997.tif 000022